(57)【要約】      （修正有）【課題】カラーコピー機の著しい進化により、印刷物の複写による偽造が多発しているため、低コストで複写を防止する印刷物を提供する。【解決手段】基材表面の一部又は全部に、スクリーン線数の異なる２つの領域を隣接するように備えた複写防止に適する印刷物であって、このスクリーン線数の異なる２つの領域は、スクリーン線数１７５線の網点から成る第１の領域３と、スクリーン線数８０線の網点から成る第２の領域２から成り、第１の領域３及び第２の領域２は、スクリーン濃度が１８〜２０％の間で等しく、可視光下においては、印刷物の第１の領域３及び第２の領域２の区別ができず、第１の領域３は複写機では複写されず、第２の領域２のみ複写されることを特徴とする複写防止印刷物である。【選択図】図２
2008143117.tif 000002
【特許請求の範囲】
【請求項１】
基材表面の一部又は全部に、スクリーン線数の異なる２つの領域を隣接するように備えた複写防止に適する印刷物であって、前記スクリーン線数の異なる２つの領域は、スクリーン線数１７５線の網点から成る第１の領域と、スクリーン線数８０線の網点から成る第２の領域から成り、前記第１の領域及び前記第２の領域は、スクリーン濃度が１８〜２０％の間で等しく、可視光下においては、前記第１の領域及び前記第２の領域の区別ができず、前記第１の領域は複写機では複写されず、前記第２の領域は複写されることを特徴とする複写防止印刷物。
【請求項２】
前記第１の領域と前記第２の領域の色相が同色であることを特徴とする請求項１記載の複写防止印刷物。
【発明の詳細な説明】
【技術分野】
【０００１】
本発明は、有価証券、各種証明書及び重要書類等の複写防止技術に関するものである。
【背景技術】
【０００２】
著しい複写機の進歩に伴ってカラーコピー機が普及し、有価証券、各種証明書及び重要書類等が、実物と酷似する体裁に複写されるといった偽造の危険性が高まってきている。この複写による偽造を防止するために、特殊インキの使用、磁気マークの刷り込み、蛍光物質による隠し文字の印刷などが試みられてきたが、持続性の欠如、コスト面及び特殊設備の必要性等の観点で問題があった。
【０００３】
これらの問題を解消する方法として、パターンの粗密を利用して潜像を印刷し、カラーコピー機等により複製した場合、その潜像が現れる等の特許出願（例えば、特許文献１参照）がなされているが、パターンの粗密を利用していることから潜像模様が肉眼でも認められてしまうため、可視光下における潜像模様の視認性を考慮したスクリーン線数及びスクリーン濃度の見いだしに課題があった。そこで、本願出願人は、可視光下における潜像模様の視認性を抑制する方法として、潜像模様及び背景を一色で同時に印刷し、潜像模様の領域と背景の領域にまたがって存在する均一な濃度のカムフラージュ模様を該模様以外の均一な濃度のバックグラウンドに対して大きな面積率となるように施し、潜像模様及び背景を構成する網点又は万線等のパターンの線数と等しくなるように構成する印刷物について出願している(例えば、特許文献２参照)。
【０００４】
【特許文献１】特開５８−３８１８８号公報
【特許文献２】特許第２６９５５２３号公報
【発明の開示】
【発明が解決しようとする課題】
【０００５】
しかしながら、特許文献２の発明によると、カモフラージュ模様を施すことで、肉眼による視認性を抑制するものであり、複写時に目的以外の模様も濃く表示されることから、複写時に２種類の潜像模様が顕出され、デザイン上の制限を受けるものであった。
【０００６】
また、カモフラージュ模様を用いない方法としては、潜像模様及び背景に使用するスクリーン線数及びスクリーン濃度の最適な条件の見いだしに課題が残されていた。
【０００７】
本発明は、スクリーン線数及びスクリーン濃度を段階的に変更し、複写時に顕出する潜像模様の可視光下における視認性の抑制及び複写機を使用した複写物における潜像模様の顕出について、最適な条件を見いだした印刷物である。
【課題を解決するための手段】
【０００８】
本発明のかかる課題を解決するための手段として、基材表面の一部又は全部に、スクリーン線数の異なる２つの領域を隣接するように備えた複写防止に適する印刷物であって、スクリーン線数の異なる２つの領域は、スクリーン線数１７５線の網点から成る第１の領域と、スクリーン線数８０線の網点から成る第２の領域から成り、第１の領域及び第２の領域は、スクリーン濃度が１８〜２０％の間で等しく、可視光下においては、第１の領域及び第２の領域の区別ができず、第１の領域は複写機では複写されず、第２の領域は複写されることを特徴としている。
【０００９】
また、前述の第１の領域と第２の領域の色相が同色であることを特徴としている。
【発明の効果】
【００１０】
本発明の複写防止印刷物は、可視光下での第１の領域と第２の領域の区別ができず、複写時の潜像模様の鮮明な顕出を可能とすることで、複写による偽造を確実に防ぐことができるという効果を奏する。
【００１１】
また、本発明の複写防止印刷物は、カモフラージュ模様がなくても可視光下での第１の領域と第２の領域の区別ができなくなったことにより、デザイン上の制約を解除できたという効果を奏する。
【００１２】
また、本発明の複写防止印刷物は、シアン、マゼンタ、イエロー及びブラック等の一般的なプロセスインキでも効果を得ることから、オンデマンド印刷にも対応可能であるという効果を奏する。
【発明を実施するための最良の形態】
【００１３】
本発明の実施形態について図面を用いて説明する。図１は本発明による印刷物を可視光下で見た場合を示す図を、図２は本発明による印刷物の複写物の一例を示す図を、図３は本発明による印刷物の第１の領域及び第２の領域を構成する網点の一例を拡大した図を、図４及び図５は第１の領域及び第２の領域を反転した図を、図１３及び図１４は可視光下及び複写物の潜像模様の認識性を評価した評価結果をそれぞれ示す。  
【００１４】
図１は、本発明の印刷物(１)を可視光下で見た場合の図であり、潜像模様を有する第１の領域(３)と、背景である第２の領域(２)が印刷された複写防止印刷物であるが、図の説明上あえて、第１の領域(３)と第２の領域(２)を区別できるように図示している。この印刷物(１)を複写機により複写したものが図２であり、第１の領域(３)は複写されず、第２の領域(２)が複写されることで、コピーという潜像模様が顕出されている。
【００１５】
前述の印刷物(１)の第１の領域(３)及び第２の領域(２)を図３で拡大図しており、スクリーン線数の異なる第１の領域(３)及び第２の領域(２)の網点を、同じ％のスクリーン濃度で印刷しているため、可視光下において肉眼で第１の領域(３)と第２の領域(２)を区別することができない。
【００１６】
また、前述の組合せを反転(ポジネガの関係)させた印刷物(６)及び複写物(７)が図４及び図５であり、印刷物(６)の可視光下における第１の領域(３)と第２の領域(２)の区別ができず、潜像模様の顕出についても同様の効果を得ることができる。
【００１７】
以下、本発明のスクリーン線数及びスクリーン濃度を限定するための評価結果について、図１３及び図１４を用いて説明する。
【００１８】
前述の評価を行う水準として、スクリーン線数及びスクリーン濃度の異なる１６０水準について、可視光下における潜像模様の視認性及び複写物における潜像模様の顕出について調査を行った。評価の方法としては、可視光下における潜像模様に視認性については、潜像模様の有無がまったく判断できないものを１０とし、それ以降を９〜１までの数字で評価した。
【００１９】
また、複写物の潜像模様の顕出についても、潜像模様の顕出が最も良好なものを１０とし、それ以降を９〜１までの数字で評価した。
【００２０】
スクリーン線数及びスクリーン濃度の組合せについては、印刷物の画線品質を考慮し、以下の組合せについて評価した。組合せ内容については以下に示す。
第１の領域をスクリーン線数７０、第２の領域をスクリーン線数１６５に設定し、スクリーン濃度を１４％〜２８％まで２％づつ上昇させた組合せを基本とし、第一の領域のスクリーン線数を７０〜８５線、第２の領域のスクリーン線数を１６５〜１８５線までの５線づつ上昇させたものの全ての組合せ。
【００２１】
図１３及び図１４を用いて上記１６０種類の印刷物についての評価結果を説明する。スクリーン線数が広いものは可視光下での潜像模様の認識が容易であり、スクリーン濃度の少ないものは、複写物の潜像模様の顕出が良好とは言えなかった。上記１６０のサンプルの中で、双方の条件を満足する水準について図１３及び図１４で網掛け表示とした。評価の結果、網掛け部分の中心がスクリーン線数８０線と１７５線でスクリーン濃度が１８〜２０％の印刷物であり、この印刷物は、可視光下で潜像模様を認識できず、複写物における潜像模様の顕出が最も顕著であった。
【実施例】
【００２２】
以下、本発明の実施例について図面を用いて説明するが、本発明の実施の形態は下記の実施例に限定されるものではなく、特許請求の範囲に記載された技術事項の範囲内であれば、発明の実施の形態に適宜、変化を加えることができる。
【００２３】
(実施例１)図６の印刷物(８)は、第１の領域(３)のスクリーン線数を１７５線、第２の領域(２)スクリーン線数を８０線、スクリーン濃度を１８％に設定したものであり、複写物にコピーという潜像模様を顕出するものである。この印刷物(８)は、色相の異なる領域として波状の境界線(Ｊ、Ｋ)で３箇所に区切られており、Ａの領域をシアンで、Ｂの領域をマゼンタで、Ｃの領域をイエローのプロセスインキを用いて印刷した印刷物(８)である。
【００２４】
図７及び図８は、図６の一部(９及び１０)を拡大したものであり、図７のＡはすべての網点がシアンであるのに対し、Ｂの網点はマゼンタである。また、図８のＢは、すべての網点がマゼンタであるのに対し、Ｃの網点はイエローである。
【００２５】
この印刷物(８)は、波状の境界線(Ｊ、Ｋ)を境に色相が異なり、３色に変化する波状の模様を有している。この色相の異なるすべての領域には、第１の領域(３)及び第２の領域(２)が含まれており、それぞれの色相の異なる領域内で第１の領域(３)と第２の領域(２)の区別ができないものである。
【００２６】
また、この印刷物(８)の複写をキャノンカラーレーザーコピア７００(解像度４００ｄｐｉの一般的なカラーコピー機)を用いて行った結果、第２の領域のみが濃く複写され、コピーという潜像模様が複写物の濃淡により顕出し、複写物であることが一目瞭然であった(図示せず)。
【００２７】
(実施例２)図９の印刷物(１１)は、第１の領域(３)のスクリーン線数を１７５線、第２の領域(２)スクリーン線数を８０線、スクリーン濃度を１９％に設定した印刷物(１１)であり、色相の異なる領域として境界線(Ｌ、Ｍ)で３箇所に区切り、Ｄは青色で、Ｆは赤色で、Ｅは境界線(Ｌ、Ｍ)を境に青色と赤色が双方から混ざり合った色相で印刷したものである。
【００２８】
前述の印刷物(１１)は、Ｅの領域で青色と赤色が混ざり合い、グラデーション模様を形成している。図１０及び図１１は、図９の一部(１２及び１３)を拡大したものであり、図１０のＤはすべての網点が青色であるのに対し、Ｅは境界線(Ｌ)を境に青色と赤色の網点が混ざり合った状態である。また、図１１のＦはすべての網点が赤色であるのに対し、Ｅは境界線(Ｍ)を境に青色と赤色の網点が混ざり合った状態である。
【００２９】
この印刷物(１１)の色相の異なる３つの領域には、第１の領域(３)及び第２の領域(２)が含まれているが、全ての領域のスクリーン濃度を同様に設定したことにより、可視光下での第１の領域(３)と第２の領域(２)の区別ができず、複写物におけるコピーという潜像模様の顕出が顕著であった(図示せず)。
【００３０】
(実施例３)図１２の印刷物(１４)は、第１の領域(３)のスクリーン線数を１７５線、第２の領域(２)スクリーン線数を８０線、スクリーン濃度を２０％に設定し、３色の特色インキを用いた印刷物(１４)であり、Ｈは茶色系の特色インキ、Ｇは黄色系の特色インキ、Ｉは空色系の特色インキで印刷を行い、第１の領域(３)及び第２の領域(２)から成るバツ印の潜像模様とは異なるひまわり模様を形成するものである。
【００３１】
前述の印刷物(１４)には、Ｇ〜Ｉの色相の異なる領域に、第１の領域(３)及び第２の領域(２)が含まれているが、全ての領域のスクリーン濃度を同様に設定したことにより、可視光下における第１の領域(３)と第２の領域(２)の区別ができず、複写時の潜像模様の顕出も良好であった(図示せず)。
【００３２】
なお、実施例１、２及び３に示した印刷物は、通常の印刷物と同様に、タイトル、両額及び個人情報等を重ね刷りすることが可能である。ただし、第１の領域を完全に隠蔽するものは含まない。
【図面の簡単な説明】
【００３３】
【図１】本発明の複写防止に適した印刷物の一例を示す図
【図２】本発明の複写防止に適した印刷物の複写物の一例を示す図
【図３】本発明の複写防止に適した印刷物の背景部及び潜像部を拡大した一例を示す図
【図４】図１の印刷物の第１及び第２の領域を反転させた図
【図５】図１の複写物の第１及び第２の領域を反転させた図
【図６】本発明の色相の異なる領域を備えた印刷物の一例を示す図
【図７】図６の一部(９)を拡大した概略図を示す図
【図８】図６の一部(１０)を拡大した概略図を示す図
【図９】本発明の実施例２に基づいた印刷物の一例を示す図
【図１０】図９の一部(１２)を拡大した概略図を示す図
【図１１】図９の一部(１３)を拡大した概略図を示す図
【図１２】本発明の実施例３に基づいた印刷物の一例を示す図
【図１３】スクリーン線数及びスクリーン濃度を変更し、可視光下における潜像模様の視認性についてテストを行った結果を示す図
【図１４】スクリーン線数及びスクリーン濃度を変更し、複写物における潜像模様の顕出状態についてテストを行った結果を示す図
【符号の説明】
【００３４】
１  印刷物  
２  第２の領域  
３  第１の領域  
４  図３の拡大位置  
５  １の複写物
６  図１の反転図
７  図２の反転図
８  実施例１の印刷物
９  図７の拡大位置  
１０  図８の拡大位置
１１  実施例２の印刷物
１２  図１０の拡大位置
１３  図１１の拡大位置
１４  実施例３の印刷物
Ａシアンの領域  
Ｂマゼンタの領域
Ｃイエローの領域  
Ｄ青色の領域  
Ｅ青色と赤色が混ざり合った領域  
Ｆ赤色の領域
Ｇ黄色系の特色インキの領域  
Ｈ茶色系の特色インキの領域  
Ｉ空色系の特色インキの領域  
Ｊ境界線１  
Ｋ境界線２
Ｌ境界線３  
Ｍ境界線４    
【図１】
2008143117.tif 000003
【図２】
2008143117.tif 000004
【図３】
2008143117.tif 000005
【図４】
2008143117.tif 000006
【図５】
2008143117.tif 000007
【図６】
2008143117.tif 000008
【図７】
2008143117.tif 000009
【図８】
2008143117.tif 000010
【図９】
2008143117.tif 000011
【図１０】
2008143117.tif 000012
【図１１】
2008143117.tif 000013
【図１２】
2008143117.tif 000014
【図１３】
2008143117.tif 000015
【図１４】
2008143117.tif 000016